(57)【要約】【課題】着脱が容易で、且つ、和服を着用したときと同じような茶道の所作の練習をすることができる茶道用稽古着を提供する。【解決手段】本発明に係る茶道用稽古着は、着用者の腰部に巻き付ける腰帯３０と、該腰帯３０の下側に設けられた、着用者の足元までの長さと着用者の下半身を一周以上覆う幅を有し、右前身頃２３と後身頃２１と左前身頃２２とから成るスカート部２０と、左前身頃２２の右側の上の腰帯３０の上側に設けられた、該腰帯３０に下辺を接する三角形状を有する右胸当て部４２と、左前身頃２２の左側の上の前記腰帯３０の上側に、下辺側において右胸当て部４２と重なるように設けられた、該腰帯３０に下辺を接する三角形状を有する左胸当て部４１と、右胸当て部４１の上端と前記左胸当て部の上端の少なくとも一方に設けられた肩紐５０とを備える。【選択図】図１
2019027004.tif 000002
【特許請求の範囲】
【請求項１】
a)着用者の腰部に巻き付ける腰帯と、
b)前記腰帯の下側に設けられた、着用者の足元までの長さと着用者の下半身を一周以上覆う幅を有し、右前身頃と後身頃と左前身頃とから成るスカート部と、
c)前記左前身頃の右側の上の前記腰帯の上側に設けられた、該腰帯に下辺を接する三角形状を有する右胸当て部と、
d)前記左前身頃の左側の上の前記腰帯の上側に、下辺側において前記右胸当て部と重なるように設けられた、該腰帯に下辺を接する三角形状を有する左胸当て部と、
e)前記右胸当て部の上端と前記左胸当て部の上端の少なくとも一方に設けられた肩紐と
を備えることを特徴とする茶道用稽古着。
【請求項２】
請求項１に記載の茶道用稽古着において、
前記スカート部の左前身頃又は右前身頃のうち一方の裏側に補強布が取り付けられていることを特徴とする請求項１に記載の茶道用稽古着。
【請求項３】
前記左胸当て部の前面の左側に、扇子収納用ポケットが形成されていることを特徴とする請求項１又は２に記載の茶道用稽古着。
【発明の詳細な説明】
【技術分野】
【０００１】
本発明は、茶道の稽古の際に着用する茶道用稽古着に関する。
【背景技術】
【０００２】
茶道は日本の伝統的な芸道の一つであり、茶会や茶事では、和服（着物）を着用することが原則とされる。従って、茶道の稽古の際も和服を着用することが望ましいが、日常生活で洋服を着用している人にとって、茶道の稽古のためだけに和服を着用したり、洋服から和服に着替えたりすることは、面倒である。そのため、洋服を着用したまま茶道の稽古に参加することが多い。
【０００３】
しかしながら、茶道の所作の中には、袱紗や懐紙を和服の襟元部分から取り出したり、襟元部分に収納したりするといった、和服を着用していなければできない振る舞いがあり、洋服を着用した状態では本来の茶道の所作を練習することができない。そこで、茶道の所作の練習ができるように、洋服の上から着用可能な、和服を模した稽古着が提案されている。
【０００４】
例えば特許文献１には、和服の左右の身頃のうち帯を結ぶ部分よりも上の部分から成る、ベスト状の稽古着が記載されている。この稽古着は、洋服の上から羽織り、左右の前身頃を合わせて帯を結ぶようになっており、左右の前身頃を合わせた部分に袱紗や懐紙を入れておくことができる。また、腰に結んだ帯に扇子を挟んでおくことができる。
【０００５】
また、特許文献２には、和服の左右の身頃のうち帯を結ぶ部分よりも上の部分から成る、脇部が大きく開放された羽織状の稽古着が記載されている。この稽古着は、脇部が大きく開放されているため、嵩張った服装でも着脱し易い。また、この稽古着は、前身頃の内側に袱紗や懐紙、扇子を収納するための内袋が縫い付けられており、これらを使って所作の練習ができる。
【先行技術文献】
【特許文献】
【０００６】
【特許文献１】実開平05-19310号公報
【特許文献２】実開昭63-02716号公報
【発明の概要】
【発明が解決しようとする課題】
【０００７】
特許文献１、２に記載された茶道用稽古着は、いずれも和服の帯を結ぶ部分よりも上の部分のみから構成されているため、洋服の上から簡単に着用できる反面、次のような問題があった。すなわち、和服を着用すると足下が裾で覆われるため、着座するときや立ち上がるとき、あるいは歩くときに、裾が広がらないような身のこなし、立ち居振る舞いをする必要がある。このような和服特有の身のこなしや立ち居振る舞いも、茶道の稽古で習得する所作の一つであるが、上述した従来の稽古着は下半身を覆う部分がないため、そのような所作の練習ができなかった。
【０００８】
本発明が解決しようとする課題は、着脱が容易で、且つ、和服を着用したときと同じような茶道の所作の練習をすることができる茶道用稽古着を提供することである。
【課題を解決するための手段】
【０００９】
上記課題を解決するために成された本発明に係る茶道用稽古着は、
a)着用者の腰部に巻き付ける腰帯と、
b)前記腰帯の下側に設けられた、着用者の足元までの長さと着用者の下半身を一周以上覆う幅を有し、右前身頃と後身頃と左前身頃とから成るスカート部と、
c)前記左前身頃の右側の上の前記腰帯の上側に設けられた、該腰帯に下辺を接する三角形状を有する右胸当て部と、
d)前記左前身頃の左側の上の前記腰帯の上側に、下辺側において前記右胸当て部と重なるように設けられた、該腰帯に下辺を接する三角形状を有する左胸当て部と、
e)前記右胸当て部の上端と前記左胸当て部の上端の少なくとも一方に設けられた肩紐と
を備えることを特徴とする。
【００１０】
本発明の茶道用稽古着において右側及び左側とは、該茶道稽古着を着用した着用者からみて右側及び左側をいう。上記茶道用稽古着は、腰帯を腰部に巻き付けてスカート部で下半身を足元まで覆った後、該腰帯を結んで該スカート部を腰部に固定し、その後、右胸当て部及び左胸当て部で右胸部及び左胸部を覆った後、肩紐を使って左胸当て部及び右胸当て部を上半身の前面に固定することにより、着用される。このとき、着用者の下半身の前面側は、スカート部の右前身頃と左前身頃の両方で覆われ、且つ、左前身頃が右前身頃の上に位置する状態となるようにする。このため、着用者の下半身が和服で覆われたような外観となる。また、着用者の上半身では、左胸当て部の右辺部の上から右胸当て部の左辺部がＸ字状に交差した状態で、左胸当て部及び右胸当て部によって胸部が覆われるため、左胸当て部と右胸当て部が重なった部分に袱紗や懐紙を収容することができる。
なお、肩紐は、例えば右胸当て部の上端に一端が取り付けられた１本の紐から構成することができ、この場合は、該肩紐を頸に掛け、その他端を左胸当て部の上端にスナップボタンや面状テープ等で固定する。また、別の例として、左胸当て部の上端と右胸当て部の上端に取り付けられた２本の紐から肩紐を構成することも可能である。この場合は、２本の紐を頸の後ろで結んだり、２本の紐を肩に掛け、背中でＸ字状に交差させた後、腰帯に取り付けた金具等を使って固定する。
【００１１】
上記茶道用稽古着においては、左胸当て部の前面に扇子を収納するための扇子収納部を設けておくと、茶扇子を収納することができる。また、腰帯に袱紗掛けベルトを取り付けると、使用した袱紗を掛けておくことができる。
【発明の効果】
【００１２】
本発明に係る茶道用稽古着によれば、洋服の上から簡単に着用でき、しかも着用したときに上半身及び下半身の両方が和服を着用したときと同じような状態になるため、和服を着用したときと同じような身のこなしや立ち居振る舞いで茶道の所作の練習をすることができる。
【図面の簡単な説明】
【００１３】
【図１】本発明の一実施例に係る茶道用稽古着を正面側からみた展開図。
【図２】茶道用稽古着を背面側からみた展開図。
【図３】着用状態の茶道用稽古着の正面図。
【発明を実施するための形態】
【００１４】
以下、本発明に係る茶道用稽古着の具体的な実施例について説明する。
図１及び図２に示すように、本実施例に係る茶道用稽古着１０は、大きく分けてスカート部２０と、該スカート部２０の上辺に取り付けられた腰帯３０と、該腰帯３０の上辺に取り付けられた胸当て部４０と、胸当て部４０の上端部の左右に取り付けられた一対の結び紐５０から構成されている。なお、本実施例では、茶道用稽古着１０は、ポリエステル製の伸縮性のあるちりめん生地を使って製造されているが、他の生地を用いても良い。また、茶道用稽古着１０の全てを同じ生地から製造しなくても良く、例えばスカート部２０と腰帯３０をちりめん生地から製造し、その他の部分は別の素材から製造しても良い。
【００１５】
スカート部２０は、着用者の下半身に巻き付けられる１枚の布から成り、一般的な体型の着用者が着用したときに下半身に一周以上巻き付けられて該下半身の後面側と後面側を足元まで覆うような丈（長さ）と幅を有している。なお、図１及び図２は、２枚の布地を縫い合わせて１枚の布とした例を示しており、そのため、スカート部２０の左右の中央付近に布地を縫い合わせた箇所が実線Ｌで示されているが、１枚の大きな布地を用いても良く、３枚以上の布地を縫い合わせたものを用いても良い。
【００１６】
スカート部２０は、下半身の後面側を覆う後身頃２１と、後身頃２１の左右両側に位置する、下半身の前面側を覆う左前身頃２２及び右前身頃２３から構成されている。なお、説明の便宜上、図１及び図２には、後身頃２１、左前身頃２２、右前身頃２３の境界を一点鎖線で示したが、これらの境界は厳密に区画されているわけではなく、着用者の体型に応じて境界の位置は左右にずれることになる。要は、後述するように、着用者の右脚脇に左前身頃２２の右辺部が位置するように巻き付ける。
【００１７】
スカート部２０の後身頃２１と右前身頃２３の間の部分の裏面には補強布２４が縫いつけられている。この補強布２４は、茶道用稽古着１０を着用した着用者が着座するときや膝をつくときに膝が当たる箇所に位置する。これにより、着用者の膝がスカート部２０に当たり、このスカート部２０と膝との摩擦によってスカート部２０が擦りきれることを防止している。なお、補強布２４は後身頃２１と左前身頃２２の間に縫いつけても良く、後身頃２１と左右前身頃２２、２３の間の両方に縫いつけても良い。また、補強布２４はスカート部２０と同じ布地から形成しても良いが、中綿が入ったクッション性のある素材から形成すると、なお良い。
【００１８】
腰帯３０は、スカート部２０の上辺に取り付けられた腰部巻付部３１と、該腰部巻付部３１の両側に位置する腰紐部３２、３２とから構成されている。腰部巻付部３１は着用者の腰部に巻き付けられる部分である。腰部巻付部３１は、スカート部２０の上部に複数のタックを入れながら該スカート部２０の上辺に縫いつけられる。腰部巻付部３１のうちスカート部２０の左前身頃２２の上に位置する部分の左右部には、それぞれ左袱紗掛けベルト３３、右袱紗掛けベルト３４が縫いつけられている。各ベルト３３、３４は、その左右両端が腰部巻付部３１に縫いつけられている。また、左袱紗掛けベルト３３の左端部及び右袱紗掛けベルト３４の右端部には、それぞれＤ字状の金具３５が縫いつけられている。腰紐部３２、３２は、腰部巻付部３１を着用者の腰部に巻き付けたときに、着用者の腰部の背面から前面側に回して該前面側で結ぶことができる長さを有しているが、該着用者の腰部の背面側で結ぶことができる長さでも良い。
【００１９】
胸当て部４０は、略二等辺三角形状の左胸当て部４１と右胸を覆う略二等辺三角形状の右胸当て部４２から構成されている。左胸当て部４１及び右胸当て部４２はそれぞれ、右胸当て部４２の左辺部の上から左胸当て部４１の右辺部がＸ字状に交差するように該右胸当て部４２の左下部と該左胸当て部４１の右下部が重なった状態で、左前身頃２２の上の腰帯３０の上側に取り付けられている。特に、本実施例では、一般的な体型の着用者が胸当て部４０を胸に当てたときに、スカート部２０の左前身頃２２の右端が、着物と同様の脚の右脇に位置するように、胸当て部４０が腰帯３０の上側に取り付けられている。また、左胸当て部４１の左下の端部には縦長の長方形状のポケット４３が縫いつけられている。このポケット４３には、茶扇子が収納されるようになっている。
【００２０】
一対の結び紐５０は、左胸当て部４１の上の頂部及び右胸当て部４２の上の頂部にそれぞれ縫いつけられている。このとき、左右の胸当て部４１、４２の頂部に１，２個のタックを入れて結び紐５０が縫いつけられている。これにより左右の胸当て部４１が立体的になり、着用者の胸部にフィットする。
【００２１】
一対の結び紐５０は、左側の結び紐５０を左肩に、右側の結び紐５０を右肩に掛け、背中でＸ字状に交差させた後、左側の結び紐５０を右側の金具３５に、右側の結び紐５０を左側の金具３５にそれぞれ通した後、腰部の背面で結ぶことができる長さを有している。
【００２２】
上記茶道用稽古着１０は、次のように着用される。
まず、着用者は、胸当て部４０を前に垂らした状態でスカート部２０の左前身頃２３を下半身の前面側に当てる。このとき、左前身頃２３の右端部を右脚脇に合わせる。この状態で、腰帯３０とともに、スカート部２０の後身頃２１及び右前身頃２２を下半身の後面側から前面側に向かって巻き付ける。そして、左前身頃２３の右端部の位置がずれないようにして該左前身頃２３を下半身の前面から離間させて右前身頃２２で下半身の前面側を覆い、その上に左前身頃２３を重ねる。次に、腰帯３０の左の腰紐部３２及び右の腰紐部３２をそれぞれ腰の左側及び右側から背面に回し、さらに、腰部の右側及び左側から前面に回して両者を結び、スカート部２０を腰部に固定する。その後、胸当て部４０を上に持ち上げて胸部に当てる。このため、腰部の前面に位置する腰紐部３２の結び目は胸当て部４０に隠れて前方から見えなくなる。
【００２３】
続いて、左側の結び紐５０を左肩に、右側の結び紐５０を右肩に掛け、背中でＸ字状に交差させた後、左側の結び紐５０を右側の金具３５に、右側の結び紐５０を左側の金具３５にそれぞれ通した後、両結び紐５０の端部を腰部の背面で結ぶ。これにより、胸当て部４０が上半身に固定される。茶道用稽古着１０を脱ぐときは、上記手順と逆の手順を取る。
【００２４】
上記手順で茶道用稽古着１０を着用した着用者は、下半身が足元までスカート部２０で覆われる。従って、和服を着用したときと同じように、着座したり立ち上がったり、或るいは歩いたりする必要があるため、和服着用時と同じ茶道の所作の練習ができる。
【００２５】
また、左胸当て部４１と右胸当て部４２の重ね合わせた部分に袱紗や懐紙等の道具Ｆを入れ、扇子収納ポケット４３に扇子Ｓを入れておくことにより、和服を着用しているときと同じような動作でこれら道具Ｆの出し入れの所作の練習ができる。さらに、左袱紗掛けベルト３３、右袱紗掛けベルト３４を取り付けたため、使用したあとの袱紗を左胸当て部４１と右胸当て部４２の重ね合わせた部分に戻さずに保持することができ、便利である。
【００２６】
さらに、本実施例の茶道用稽古着１０は、スカート部２０と胸当て部４０を備えるため、着用者が身につけている洋服のほぼ全てを覆い隠すことができる。このため、着用時の見映えが良いという利点もある。
【符号の説明】
【００２７】
１０…茶道用稽古着
２０…スカート部
２１…後身頃
２２…左前身頃
２３…右前身頃
２４…補強布
３０…腰帯
３１…腰部巻付部
３２…腰紐
３３…左袱紗掛けベルト
３４…右袱紗掛けベルト
３５…腰紐
４０…胸当て部
４１…左胸当て部
４２…右胸当て部
４３…ポケット
５０…結び紐
【図１】
2019027004.tif 000003
【図２】
2019027004.tif 000004
【図３】
2019027004.tif 000005